(57)【要約】【課題】従来の油入アモルファス合金変圧器では、工程数が多く、鉄心が外力を受けることで性能が低下するという問題があった。【解決手段】鉄心１と、高低圧コイル２と、リード線３と、タンク４とを備えた油入立体巻鉄心アモルファス合金変圧器であって、前記鉄心１は同一構造でアモルファス合金ストリップを巻回してなる三つの単一鉄心を備え、単一鉄心は四角形をなしており、隣接する前記二つの単一鉄心の直立辺が貼り合わされて一体に固定されることで脚１１を構成しており、各々の単一鉄心の横方向フレームがヨーク１２となり、前記脚１１の断面が円形に近似または正多角形をなしており、クランプが略三角形の上部、下部クランプ５１、５２とボルト５３とを備えており、三つのパッド５４の一端が固定連結され、他端はそれぞれ下部クランプ５２の一辺に溶接されており、前記鉄心１下部のヨーク１２はパッド５４上に配置されており、高低圧コイル２は脚１上に巻回されており、クランプ、鉄心１、鉄心１の脚１１上に巻回されている高低圧コイル２はタンク４内に配設されている。【選択図】図１
2013539215.tif 000002
【特許請求の範囲】
【請求項１】
鉄心と、高低圧コイルと、リード線と、タンクとを備えた油入立体巻鉄心アモルファス合金変圧器であって、前記鉄心は同一構造でアモルファス合金ストリップを巻回してなる三つの単一鉄心を備え、単一鉄心は四角形をなしており、前記単一鉄心の縁部の断面が半円形に近似または半分が正多角形をなしており、前記単一鉄心は半円形で均一に配置されており、隣接する前記二つの単一鉄心の直立辺が貼り合わされて一体に固定されることで脚を構成しており、各々の単一鉄心の横方向フレームがヨークとなり、前記脚の断面が円形に近似または正多角形をなしており、
さらにクランプを備えており、前記クランプは略三角形の上部クランプと、略三角形の下部クランプと、ボルトとを備えており、前記下部クランプには三つのパッドが設けられており、パッドの一端は固定連結され、他端はそれぞれ下部クランプの一辺に溶接されており、
前記鉄心下部のヨークはパッド上に配置されており、高低圧コイルは脚上に巻回されており、
クランプ、鉄心、鉄心の脚上に巻回されている高低圧コイルはタンク内に配設されている、ことを特徴とする油入立体巻鉄心アモルファス合金変圧器。
【請求項２】
前記パッドは下部クランプを支持しており、
パッドはタンクの底部に固定連結されている、ことを特徴とする請求項１に記載の油入立体巻鉄心アモルファス合金変圧器。
【請求項３】
高低圧コイルの高圧コイルと低圧コイルとの間にはオイル通路が設けられている、ことを特徴とする請求項１または２に記載の油入立体巻鉄心アモルファス合金変圧器。
【請求項４】
前記タンクの断面が三角形に近似している、ことを特徴とする請求項３に記載の油入立体巻鉄心アモルファス合金変圧器。
【請求項５】
前記タンクの側面には放熱板が設けられている、ことを特徴とする請求項４に記載の油入立体巻鉄心アモルファス合金変圧器。
【請求項６】
前記高低圧コイルの高圧コイルと低圧コイルとの間には絶縁板紙または段ボール紙が配設されている、ことを特徴とする請求項１または２に記載の油入立体巻鉄心アモルファス合金変圧器。
【発明の詳細な説明】
【技術分野】
【０００１】
本発明は電力設備の分野に属し、具体的には油入立体巻鉄心アモルファス合金変圧器に関する。
【背景技術】
【０００２】
従来のアモルファス合金鉄心は三脚型または四鉄心五脚式構造であって、三相コイルが一列に配列されており、タンクが四角形構造であって、変圧器本体が、絶縁油が充填されたタンク内に浸漬されているものである。
【発明の概要】
【発明が解決しようとする課題】
【０００３】
従来の油入アモルファス合金変圧器では鉄心とコイルとが個別に製作されており、巻回済みのコイルを鉄心脚に装着して組み付けを行っている。生産過程において、鉄心はヨークの継ぎ目を開く、巻線を装着する、再度継ぎ目を合わせる、巻線を圧着するなどの工程が必要となるので、鉄心が外力を受けて、性能が低下することから、組み付け後の励磁損失は鉄心剥きだしの時よりも増加してしまう。
【０００４】
本発明の目的は、アモルファス合金変圧器が持つ省エネルギーで環境に優しいという長所を発揮できつつ、生産工程を減らして、製造効率を向上し、生産過程にてアモルファス鉄心への影響をなくし、同時に製品における材料使用料を大幅に減らすことができる油入立体巻鉄心アモルファス合金変圧器を提供するところにある。
【課題を解決するための手段】
【０００５】
本発明は以下のように実現される。鉄心と、高低圧コイルと、リード線と、タンクとを備えた油入立体巻鉄心アモルファス合金変圧器であって、その特殊な箇所とは、前記鉄心は同一構造でアモルファス合金ストリップを巻回してなる三つの単一鉄心を備え、単一鉄心は四角形をなしており、前記単一鉄心の縁部の断面が半円形に近似または半分が正多角形をなしており、前記単一鉄心は半円形で均一に配置されており、隣接する前記二つの単一鉄心の直立辺が貼り合わされて一体に固定されることで脚を構成しており、各々の単一鉄心の横方向フレームがヨークとなり、前記脚の断面が円形に近似または正多角形をなしておる。
【０００６】
さらにクランプを備えており、前記クランプは略三角形の上部クランプと、略三角形の下部クランプと、ボルトとを備えており、前記下部クランプには三つのパッドが設けられており、パッドの一端は固定連結され、他端はそれぞれ下部クランプの一辺に溶接されておる。
【０００７】
前記鉄心下部のヨークはパッド上に配置されており、高低圧コイルは脚上に巻回されておる。
【０００８】
クランプ、鉄心、鉄心の脚上に巻回されている高低圧コイルはタンク内に配設されている。
【０００９】
前記油入立体巻鉄心アモルファス合金変圧器にて、その特殊な箇所とは、前記パッドは下部クランプを支持しておる。
【００１０】
パッドはタンクの底部に固定連結されている。
【００１１】
前記油入立体巻鉄心アモルファス合金変圧器にて、その特殊な箇所とは、高低圧コイルの高圧コイルと低圧コイルとの間にはオイル通路が設けられている。
【００１２】
前記油入立体巻鉄心アモルファス合金変圧器にて、その特殊な箇所とは、前記高低圧コイルの高圧コイルと低圧コイルとの間には絶縁板紙または段ボール紙が配設されている。
【００１３】
前記油入立体巻鉄心アモルファス合金変圧器にて、その特殊な箇所とは、前記タンクの断面が三角形に近似している。
【００１４】
前記油入立体巻鉄心アモルファス合金変圧器にて、その特殊な箇所とは、前記タンクの側面には放熱板が設けられている。
【発明の効果】
【００１５】
本発明は油入立体巻鉄心アモルファス合金変圧器であって、このような構造を採用し、アモルファス材料を巻回してなる略立体三角形の構造を採用することで、従来技術に鉄心と比べて、工程数は少なくなり、ヨークがシームレスとなり、外部から干渉を受けたときでも、性能には影響はない。工程数が少なくなることで、作業効率を向上している。励磁損失が従来よりも少なく、省エネルギーとなる。
【図面の簡単な説明】
【００１６】
【図１】本発明の立体図である。
【図２】本発明のオイルがない状態での立体図である。
【図３】本発明のクランプの立体図である。
【図４】本発明の鉄心の立体図である。
【図５】本発明の高低圧コイルの断面図である。
【発明を実施するための形態】
【００１７】
以下にて図面を合せて本発明を詳細に説明する。
【００１８】
図１に示すように、鉄心１と、高低圧コイル２と、リード線３と、タンク４とを備えた油入立体巻鉄心アモルファス合金変圧器であって、図４に示すように、鉄心１は立体三角形をなしている。前記鉄心１は同一構造でアモルファス合金ストリップを巻回してなる三つの単一鉄心を備え、単一鉄心は四角形をなしている。前記単一鉄心の縁部の断面が半円形に近似または半分が正多角形をなしている。前記単一鉄心は半円形で均一に配置されており、隣接する前記二つの単一鉄心１の直立辺２が貼り合わされて一体に固定されることで脚１１を構成しており、各々の単一鉄心の横方向フレームがヨーク１２となっている。前記脚１１の断面が円形に近似または正多角形をなしている。
【００１９】
図３に示すように、さらにクランプを備えており、前記クランプは略三角形の上部クランプ５１と、略三角形の下部クランプ５２と、ボルト５３とを備えており、前記下部クランプ５２には三つのパッド５４が設けられており、パッド５４の一端は固定連結され、他端はそれぞれ下部クランプ５２の一辺に溶接されている。ボルト５３は上部、下部クランプ５１、５２に連結されている。
【００２０】
前記鉄心１下部のヨーク１２はパッド５４上に配置されており、高低圧コイル２は脚１１上に巻回されている。
【００２１】
クランプ、鉄心１、鉄心１の脚１１上に巻回されている高低圧コイル２はタンク４内に配設されている。
【００２２】
前記パッド５４は下部クランプ５２を支持している。
【００２３】
パッド５４はタンク４の底部に固定連結されている。
【００２４】
図５に示すように、高低圧コイル２の高圧コイル２１と低圧コイル２２との間にはオイル通路２３が設けられている。
【００２５】
または前記高低圧コイル２の高圧コイル２１と低圧コイル２２との間には絶縁板紙または段ボール紙が配設されている。
【００２６】
二重巻線の変圧器については、低圧コイル２２は内部で、低圧コイルを巻回した後、絶縁板紙または段ボール紙を高、低圧コイル２１、２２との間の支持および絶縁用として、引き続き高圧コイル２１を巻回する。
【００２７】
変圧器について温度値について計算および調整を行うことで、低圧コイル２２と高圧コイル２１にて半径方向にオイル通路２３を配置して、放熱効果を高めている。
【００２８】
前記タンク４の断面が三角形に近似している。
【００２９】
前記タンク４の側面には放熱板６が設けられている。
【００３０】
鉄心１は平面状で対称となるよう三角形に配置されているので、タンク４は構造上では三角形が比較的合理的である。放熱のニーズに応じて、放熱板６は対称となる三つのタンク壁面に配置される。このような構造では油入変圧器は外観がよく、同時に変圧器の油の使用量も節約できる。
【００３１】
上記は本発明の好ましい実施形態に過ぎない。言及しておくべきは、当業者にとって、本発明の原理から離れない状況にて、若干の改善および変形を行うことは可能であって、これもまた本発明の保護範囲にあると見なされるべきであるということである。
【符号の説明】
【００３２】
１  鉄心、
２  高低圧コイル、
３  リード線、
４  タンク、
６  放熱板、
１１  脚、
１２  ヨーク、
２１  高圧コイル、
２２  低圧コイル、
２３  オイル通路、
５１  上部クランプ、
５２  下部クランプ、
５３  ボルト、
５４  パッド。
【図１】
2013539215.tif 000003
【図２】
2013539215.tif 000004
【図３】
2013539215.tif 000005
【図４】
2013539215.tif 000006
【図５】
2013539215.tif 000007
【手続補正書】
【提出日】平成24年12月12日(2012.12.12)
【手続補正１】
【補正対象書類名】特許請求の範囲
【補正対象項目名】全文
【補正方法】変更
【補正の内容】
【特許請求の範囲】
【請求項１】
鉄心と、高低圧コイルと、リード線と、タンクとを備えた油入立体巻鉄心アモルファス合金変圧器であって、前記鉄心は同一構造でアモルファス合金ストリップを巻回してなる三つの単一鉄心を備え、単一鉄心は四角形をなしており、前記単一鉄心の縁部の断面が半円形に近似または半分が正多角形をなしており、前記単一鉄心は半円形で均一に配置されており、隣接する前記二つの単一鉄心の直立辺が貼り合わされて一体に固定されることで脚を構成しており、各々の単一鉄心の横方向フレームがヨークとなり、前記脚の断面が円形に近似または正多角形をなしており、
さらにクランプを備えており、前記クランプは略三角形の上部クランプと、略三角形の下部クランプと、ボルトとを備えており、前記下部クランプには三つのパッドが設けられており、パッドの一端は固定連結され、他端はそれぞれ下部クランプの一辺に溶接されており、
前記鉄心下部のヨークはパッド上に配置されており、高低圧コイルは脚上に巻回されており、
クランプ、鉄心、鉄心の脚上に巻回されている高低圧コイルはタンク内に配設されており、
高低圧コイルの高圧コイルと低圧コイルとの間にはオイル通路が設けられており、
前記タンクの断面が三角形に近似しており、
前記タンクの側面には放熱板が設けられている、ことを特徴とする油入立体巻鉄心アモルファス合金変圧器。
【請求項２】
前記パッドは下部クランプを支持しており、前記パッドはタンクの底部に固定連結されている、ことを特徴とする請求項１に記載の油入立体巻鉄心アモルファス合金変圧器。
【請求項３】
前記高低圧コイルの高圧コイルと低圧コイルとの間には絶縁板紙または段ボール紙が配設されている、ことを特徴とする請求項１または２に記載の油入立体巻鉄心アモルファス合金変圧器。
【国際調査報告】
2013539215.tif 000008
2013539215.tif 000009
2013539215.tif 000010
2013539215.tif 000011
2013539215.tif 000012
2013539215.tif 000013